(57)【要約】      （修正有）【課題】回転工具を用いて根がらみクランプを迅速かつ効率的に回すことができる根がらみクランプ用アタッチメントを提供する。【解決手段】根がらみクランプ用アタッチメントは、筒状本体１１と、その開口端に設けた根がらみクランプのＬ字状ネジ部を連結保持する保持部１２と、筒状本体の他端に設けた回転工具との連結部１３からなる。前記保持部１２は、前記筒状本体１１の開口端の側壁の一方に形成した、前記根がらみクランプのＬ字状ネジ部のＬ字に折り曲げた横棒部をはめ込む凹溝１６と、該凹溝に対向する側壁に穿設した前記横棒部の先端部分をはめ込む挿通孔１７とを備えていることを特徴として構成する。【選択図】図１
0003159908.tif 000002
【実用新案登録請求の範囲】
【請求項１】
筒状本体と、その開口端に設けた根がらみクランプのＬ字状ネジ部を連結保持する保持部と、筒状本体の他端に設けた回転工具との連結部からなり、
前記保持部は、前記筒状本体の開口端の側壁の一方に形成した、前記根がらみクランプのＬ字状ネジ部のＬ字に折り曲げた横棒部をはめ込む凹溝と、該凹溝に対向する側壁に穿設した前記横棒部の先端部分をはめ込む挿通孔とを備えていることを特徴とする根がらみクランプ用アタッチメント。
【請求項２】
前記保持部は、前記回転工具の回転軸に対して前記Ｌ字状ネジ部の回転中心を同軸とした場合に、該回転中心からややずれた位置に前記保持部の中心がくるため、クランク状もしくは所定の角度傾斜させた連結部を介して前記回転工具の回転軸に装着することにより、回転工具の回転操作を無理なく行うことができるようにしたことを特徴とする請求項１に記載の根がらみクランプ用アタッチメント。
【請求項３】
前記保持部は、前記回転工具の回転軸に対して前記Ｌ字状ネジ部の回転中心を同軸とした場合に、該回転中心と前記保持部の中心とを一致させるため、前記筒状本体の開口端の内側に、前記根がらみクランプのＬ字状ネジ部のＬ字に折り曲げた横棒部の保持手段を形成し、前記Ｌ字状ネジ部の回転中心と前記保持部の中心とを一致させることにより、回転工具の回転操作を無理なく行うことができるようにしたことを特徴とする請求項１に記載の根がらみクランプ用アタッチメント。
【考案の詳細な説明】
【技術分野】
【０００１】
本考案は、操作性に優れた根がらみクランプ用アタッチメントに関する。
【背景技術】
【０００２】
従来、図５（ａ），（ｂ）に示すような構造を有する根がらみクランプ１０１は、そのＬ字状ネジ部１０２の存在によって回転工具が装着できず、手動工具等を用いて手で回すしか方法が無かったのが実情であった。
【０００３】
すなわち、根がらみクランプ１０１のＬ字状ネジ部１０２には回転工具を装着する構造部分を設けることが難しいという問題があり、手動工具等を用いて手で回してＬ字状ネジ部１０２の緊結もしくは解除を行っていた。
【０００４】
そのような先行技術としては、実公昭３６−１６９２号公報（特許文献１参照）、実公昭３６−１６９３号公報（特許文献２参照）、実公昭３６−６６９７号公報（特許文献３参照）、実開昭５１−１３７２００号公報（特許文献４参照）、実開昭５９−９３８７９号公報（特許文献５参照）、実開平１−６４３７０号公報（特許文献６参照）、実開平２−７０９７４号公報（特許文献７参照）、特開平８−７１９３１号公報（特許文献８参照）が存在する。
【先行技術文献】
【特許文献】
【０００５】
【特許文献１】実公昭３６−１６９２号公報
【特許文献２】実公昭３６−１６９３号公報
【特許文献３】実公昭３６−６６９７号公報
【特許文献４】実開昭５１−１３７２００号公報
【特許文献５】実開昭５９−９３８７９号公報
【特許文献６】実開平１−６４３７０号公報
【特許文献７】実開平２−７０９７４号公報
【特許文献８】特開平８−７１９３１号公報
【考案の概要】
【考案が解決しようとする課題】
【０００６】
本考案は、上記の問題点を解決するためになされたものであり、回転工具を用いて根がらみクランプを迅速かつ効率的に回すことができる根がらみクランプ用アタッチメントを提供しようとするものである。
【課題を解決するための手段】
【０００７】
すなわち本考案の根がらみクランプ用アタッチメントは、筒状本体と、その開口端に設けた根がらみクランプのＬ字状ネジ部を連結保持する保持部と、筒状本体の他端に設けた回転工具との連結部からなり、
前記保持部は、前記筒状本体の開口端の側壁の一方に形成した、前記根がらみクランプのＬ字状ネジ部のＬ字に折り曲げた横棒部をはめ込む凹溝と、該凹溝に対向する側壁に穿設した前記横棒部の先端部分をはめ込む挿通孔とを備えていることを特徴とするものである。
【０００８】
本考案の根がらみクランプ用アタッチメントは、前記保持部は、前記回転工具の回転軸に対して前記Ｌ字状ネジ部の回転中心を同軸とした場合に、該回転中心からややずれた位置に前記保持部の中心がくるため、クランク状もしくは所定の角度傾斜させた連結部を介して前記回転工具の回転軸に装着することにより、回転工具の回転操作を無理なく行うことができるようにしたことをも特徴とするものである。
【０００９】
本考案の根がらみクランプ用アタッチメントは、前記保持部は、前記回転工具の回転軸に対して前記Ｌ字状ネジ部の回転中心を同軸とした場合に、該回転中心と前記保持部の中心とを一致させるため、前記筒状本体の開口端の内側に、前記根がらみクランプのＬ字状ネジ部のＬ字に折り曲げた横棒部の保持手段を形成し、前記Ｌ字状ネジ部の回転中心と前記保持部の中心とを一致させることにより、回転工具の回転操作を無理なく行うことができるようにしたことをも特徴とするものである。
【考案の効果】
【００１０】
請求項１の根がらみクランプ用アタッチメントによれば、筒状本体に根がらみクランプのＬ字状ネジ部を無理なく安定して装着することができるので、回転工具を用いて根がらみクランプを迅速かつ効率的に回すことができる根がらみクランプ用アタッチメントを提供することができるのである。
【００１１】
請求項２の根がらみクランプ用アタッチメントによれば、前記回転工具の回転軸と前記Ｌ字状ネジ部の回転中心を同軸とすることができ、回転工具の回転操作をスムーズに無理なく行うことができるようになる。
請求項３の根がらみクランプ用アタッチメントによれば、前記筒状本体の開口端の内側に、前記根がらみクランプのＬ字状ネジ部のＬ字に折り曲げた横棒部の保持手段を形成し、前記Ｌ字状ネジ部の回転中心と前記保持部の中心とを一致させることにより、回転工具の回転操作を無理なく行うことができるようになる。
【図面の簡単な説明】
【００１２】
【図１】本考案の根がらみクランプ用アタッチメントの実施の形態を説明するための概略斜視図。
【図２】その端面図。
【図３】第２実施例を示す概略斜視図。
【図４】第３実施例を示す端面図。
【図５】（ａ）は本考案の根がらみクランプ用アタッチメントによって操作される根がらみクランプの側面図、（ｂ）はその平面図。
【考案を実施するための形態】
【００１３】
次に、本考案の根がらみクランプ用アタッチメントに係る実施形態について、図１ないし図４を参照しながら詳細に説明する。
【実施例１】
【００１４】
図１および図２に示すように、実施例１の根がらみクランプ用アタッチメントは、筒状本体１１と、その開口端に設けた根がらみクランプ１０１のＬ字状ネジ部１０２を連結保持する保持部１２と、筒状本体１１の他端に設けた回転工具との連結部１３からなるものである。
前記保持部１２の内側には、各種のナット部を係合可能な多角形孔１４が、前記連結部１３の外周は回転工具のホルダーに係合可能な多角柱１５に形成されている。
【００１５】
そして前記保持部１２は、前記筒状本体１１の開口端の側壁の一方に形成した凹溝１６と挿通孔１７とを備え、前記凹溝１６には前記根がらみクランプ１０１のＬ字状ネジ部１０２のＬ字に折り曲げた横棒部１０３をはめ込み、前記挿通孔１７には前記凹溝１６に対向する側壁に穿設した前記横棒部１０３の先端部分をはめ込むようになっている。
したがって、回転工具をモータや油気圧等を用いてまわすことにより、根がらみクランプ用アタッチメントの保持部１２によって前記根がらみクランプ１０１のＬ字状ネジ部１０２の横棒部１０３が水平に回転し、Ｌ字状ネジ部１０２が回されて前記根がらみクランプ１０１が所定位置に緊結されるのである。
【実施例２】
【００１６】
図３に示す実施例２の根がらみクランプ用アタッチメントは、前記保持部１２は、前記回転工具の回転軸２１に対して前記Ｌ字状ネジ部１０２の回転中心２２を同軸とした場合に、該回転中心２２からややずれた位置に前記保持部１２の中心がくるため、クランク状もしくは所定の角度傾斜させた連結部１３を介して前記回転工具の回転軸２１に装着することにより、回転工具の回転操作を無理なく行うことができるようにしたものである。
したがって、回転工具をモータや油気圧等を用いてまわすことにより、根がらみクランプ用アタッチメントの保持部１２によって前記根がらみクランプのＬ字状ネジ部１０２の横棒部１０３が水平に回転し、Ｌ字状ネジ部１０２が回されて前記根がらみクランプ１０１が所定位置に緊結されるのである。
【実施例３】
【００１７】
図４に示す実施例３の根がらみクランプ用アタッチメントは、前記保持部１２は、前記回転工具の回転軸２１に対して前記Ｌ字状ネジ部１０２の回転中心を同軸とした場合に、該回転中心と前記保持部１２の中心とを一致させるため、前記筒状本体１１の開口端の内側に、前記根がらみクランプのＬ字状ネジ部１０２のＬ字に折り曲げた横棒部１０３の保持手段を形成したものである。
このようにすることによって、前記Ｌ字状ネジ部１０２の回転中心と前記保持部１２の中心とが一致し、回転工具の回転操作を無理なく行うことができるようになるのである。
【００１８】
前記保持手段としては、図においては前記筒状本体１１の開口端の内側に形成したＵ字状の案内溝３１が示されている。この案内溝３１は前記根がらみクランプのＬ字状ネジ部１０２の横棒部１０３をはめ込む両側壁３２，３２と、挿通孔１７に対向する面に設けた切欠き３３とを備え、該切欠き３３は前記案内溝３１の底面よりやや高く形成されている。
【００１９】
したがって、前記根がらみクランプのＬ字状ネジ部１０２を案内溝３１の切欠き３３部分に落とし込み、前記横棒部１０３の先端を挿通孔１７にはめ込んだ上、前記案内溝３１の底面まで前記根がらみクランプのＬ字状ネジ部１０２をはめ込むことによって前記保持手段に前記根がらみクランプのＬ字状ネジ部１０２のＬ字に折り曲げた横棒部１０３をはめ込むことができる。
その上で、回転工具をモータや油気圧等を用いてまわすことにより、根がらみクランプ用アタッチメントの保持部１２によって前記根がらみクランプのＬ字状ネジ部１０２の横棒部１０３が水平に回転し、かつ前記Ｌ字状ネジ部１０２の回転中心と前記保持部１２の中心とが一致した状態で回転工具の回転操作が行われ、Ｌ字状ネジ部１０２が無理なく回されて前記根がらみクランプが所定位置に緊結されるのである。
【産業上の利用可能性】
【００２０】
本考案の根がらみクランプ用アタッチメントは以上のように構成したので、根がらみクランプのみならず、その他の種々のＬ字状のクランプ類にも適用することができることはいうまでもない。
【符号の説明】
【００２１】
１１  筒状本体
１２  保持部
１３  連結部
１４  多角形孔
１５  多角柱
１６  凹溝
１７  挿通孔
２１  回転軸
２２  回転中心
３１  案内溝
３２  側壁
３３  切欠き
１０１  根がらみクランプ
１０２  Ｌ字状ネジ部
１０３  横棒部
【図１】
0003159908.tif 000003
【図２】
0003159908.tif 000004
【図３】
0003159908.tif 000005
【図４】
0003159908.tif 000006
【図５】
0003159908.tif 000007